(57)【要約】【課題】多くの人々の目を引き付けて、より高い宣伝効果を得ることができる宣伝装置を提供する。【解決手段】宣伝装置１０は、高さ方向に立設された支柱２２と、支柱２２に接続され、その接続位置から水平方向に放射状に延設された複数の支持梁４７と、複数の支持梁４７の先端に支持される多角形状の第１のフレームと、第１のフレームの各辺に吊持された、宣伝内容が表示された複数の略長方形状のシートと、第１のフレームと略等しい外形を有し、シートの下端に取り付けられた第２のフレームと、を備える。【選択図】図１
0003178633.tif 000002
【実用新案登録請求の範囲】
【請求項１】
高さ方向に立設された支柱と、
前記支柱に接続され、その接続位置から水平方向に放射状に延設された複数の支持梁と、
前記複数の支持梁の先端に支持される多角形状の第１のフレームと、
前記第１のフレームの各辺に吊持された、宣伝内容が表示された複数の略長方形状のシートと、
前記第１のフレームと略等しい外形を有し、前記シートの下端に取り付けられた第２のフレームと、
を備えることを特徴とする宣伝装置。
【請求項２】
前記第１のフレーム及び前記第２のフレームは、複数の角部材と複数の辺部材とを有し、前記角部材と前記辺部材は、着脱可能に交互に接続されていることを特徴とする請求項１に記載の宣伝装置。
【請求項３】
前記支持梁は、その先端に取付具を有し、前記第１のフレームは前記取付具に取り付けられていることを特徴とする請求項１又は２に記載の宣伝装置。
【請求項４】
前記支柱には、前記シートに光を照らす照射装置をさらに備えたことを特徴とする請求項１乃至３のいずれか１項に記載の宣伝装置。
【請求項５】
前記シートは、布、紙、ビニールシートのいずれかから構成されていることを特徴とする請求項１乃至４のいずれか１項に記載の宣伝装置。
【請求項６】
前記支柱には、回転軸を高さ方向に向けて前記支柱に取り付けられ、電気エネルギーを前記回転軸の回転運動に変換するモータを、備えることを特徴とする請求項１乃至５のいずれか１項に記載の宣伝装置。
【請求項７】
前記シートの上端及び下端には、前記第１のフレーム及び第２のフレームに支持される筒状の被支持部が形成されており、前記被支持部は、互いに着脱可能な一対の固定部材が固定されることによって筒状に形成されることを特徴とする請求項１乃至６のいずれか１項に記載の宣伝装置。
【請求項８】
前記シートは、シート固定部材により前記第１のフレーム及び第２のフレームに固定されていることを特徴とする請求項１乃至７のいずれか１項に記載の宣伝装置。
【考案の詳細な説明】
【技術分野】
【０００１】
本考案は、宣伝装置に関する。
【背景技術】
【０００２】
従来、店舗や催し会場などにおいては、旗やのぼり等を用いて店舗の紹介や、取扱商品の宣伝等が行なわれている。一般には、人々の注目をより多く集めるため、デザイン等に趣向を凝らした旗やのぼりが設置されている。
【０００３】
例えば、空気を注入することができる袋体からなる旗を、ポールに取り付けた表示用旗
が知られている（例えば、特許文献１参照）。
【先行技術文献】
【特許文献】
【０００４】
【特許文献１】登録実用新案第３１３０７５３号公報
【考案の概要】
【考案が解決しようとする課題】
【０００５】
特許文献１に記載の表示用旗では、１本のポールに１つの旗しか取り付けることができないため、高い宣伝効果を得ることができなかった。
【０００６】
本考案は、多くの人々の目を引き付けて、より高い宣伝効果を得ることができる宣伝装置を提供することを目的とする。
【課題を解決するための手段】
【０００７】
上記目的を達成するため、本考案に係る宣伝装置は、
高さ方向に立設された支柱と、
前記支柱に接続され、その接続位置から水平方向に放射状に延設された複数の支持梁と、
前記複数の支持梁の先端に支持される多角形状の第１のフレームと、
前記第１のフレームの各辺に吊持された、宣伝内容が表示された複数の略長方形状のシートと、
前記第１のフレームと略等しい外形を有し、前記シートの下端に取り付けられた第２のフレームと、
を備えることを特徴とする。
【０００８】
前記第１のフレーム及び前記第２のフレームは、複数の角部材と複数の辺部材とを有し、前記角部材と前記辺部材は、着脱可能に交互に接続されていてもよい。
【０００９】
前記支持梁は、その先端に取付具を有し、前記第１のフレームは前記取付具に取り付けられていてもよい。
【００１０】
前記支柱には、前記シートに光を照らす照射装置をさらに備えていてもよい。
【００１１】
前記シートは、布、紙、ビニールシートのいずれかから構成されていてもよい。
【００１２】
前記支柱には、回転軸を高さ方向に向けて前記支柱に取り付けられ、電気エネルギーを前記回転軸の回転運動に変換するモータを、備えていてもよい。
【００１３】
前記シートの上端及び下端には、前記第１のフレーム及び第２のフレームに支持される筒状の被支持部が形成されており、前記被支持部は、互いに着脱可能な一対の固定部材が固定されることによって筒状に形成されていてもよい。
【００１４】
前記シートは、シート固定部材により前記第１のフレーム及び第２のフレームに固定されていてもよい。
【考案の効果】
【００１５】
本考案によれば、多くの人々の目を引き付けて、より高い宣伝効果を得ることができる宣伝装置を提供することができる。
【図面の簡単な説明】
【００１６】
【図１】本考案の第１の実施形態に係る宣伝装置の斜視図である。
【図２】（ａ）は、本考案の第１の実施形態に係る宣伝装置の支持部の斜視図であり、（ｂ）は、のぼり部の斜視図である。
【図３】（ａ）は、本考案の第１の実施形態に係る宣伝装置の上縁フレームの分解斜視図であり、（ｂ）は、下縁フレームの斜視図である。
【図４】本考案の第１の実施形態に係る宣伝装置ののぼりの斜視図である。
【図５】（ａ）は、本考案の第２の実施形態に係る宣伝装置の支持部の斜視図であり、（ｂ）は、のぼり部の斜視図である。
【図６】本考案の他の実施形態に係る宣伝装置ののぼり部の斜視図である。
【図７】（ａ）及び（ｂ）は、本考案の他の実施形態に係る宣伝装置の上縁フレームの斜視図である。
【図８】（ａ）及び（ｂ）は、本考案の他の実施形態に係る宣伝装置ののぼりの一部を拡大して示す斜視図である。
【図９】本考案の他の実施形態に係る宣伝装置ののぼり固定部材を説明する図である。
【考案を実施するための形態】
【００１７】
（第１の実施形態）
以下、本考案の実施形態に係る宣伝装置を図１乃至図４を参照して説明する。
【００１８】
図１に示すように、本考案の実施形態に係る宣伝装置１０は、支持部２０と、支持部に支持されるのぼり部３０と、を備えている。
【００１９】
図２（ａ）に示すように、支持部２０は、支持部２０が地面に載置された際に接地するベースプレート２１と、ベースプレート２１に立設された支柱２２と、とから構成されている。
【００２０】
ベースプレート２１は、例えば、正方形に切断加工された鋼板から構成されている。ベースプレート２１は、宣伝装置１０が安定して設置できる接地面積が確保できるように、その寸法が設定されている。
【００２１】
支柱２２は、例えば、塩化ビニル製のパイプから構成されている。支柱２２は、ベースプレート２１に立設され、宣伝装置１０を構成するのぼり部３０を支持する。
【００２２】
図２（ｂ）に示すように、のぼり部３０は、宣伝広告が印刷された３つののぼり３１と、のぼり３１の上端に取り付けられる上縁フレーム４０と、のぼり３１の下端に取り付けられる下縁フレーム５０と、から構成されている。
【００２３】
図３（ａ）に示すように、上縁フレーム４０は、枠部材４１と、梁部材４５と、を備えている。上縁フレーム４０は、例えば、ポリプロピレン等のプラスチックから形成されている。
【００２４】
枠部材４１は、平面視で、略正三角形状に形成された枠体である。枠部材４１は、のぼり３１の上端に取り付けられる。枠部材４１の各辺は、のぼり部３０が支持部２０に支持されたときに略同一の水平面上に位置する。これにより、３つののぼり３１の上端部は、略同一の水平面上に位置する。
【００２５】
枠部材４１は、枠部材４１の角部分を構成する角部材４１ａと、枠部材４１の辺部分を構成する辺部材４１ｃとを有する。辺部材４１ｃは、円筒状に形成されており、のぼり３１の幅と略同一又はのぼり３１の幅よりわずかに長く形成されている。角部材４１ａは、円筒状の辺部材４１ｃに挿入されて、辺部材４１ｃの内壁に圧接する円柱状の挿入部４１ｂを有している。辺部材４１ｃは、角部材４１ａに着脱可能に構成されている。
【００２６】
梁部材４５は、支持部２０に接続される軸部４６と、３本の支持梁４７と、３つの取付具４８と、を備える。
【００２７】
支持梁４７は、例えば、ポリプロピレン等のプラスチックから構成されている。３本の支持梁４７は、それぞれ等しい長さで形成された棒状部材である。３本の支持梁４７は、軸部４６から放射状に延設されている。
【００２８】
取付具４８は、３本の支持梁４７の先端のそれぞれに取り付けられている。取付具４８は、例えば、ポリプロピレン等のプラスチックから形成されている。取付具４８は、円筒状に形成された枠部材４１の外周面と嵌合できるように、円筒の側面の一部を長手方向に切り欠いて形成された形状を有する部材である。それぞれの取付具４８は、枠部材４１の各辺の略中央に嵌め込まれる。
【００２９】
図３（ｂ）に示すように、下縁フレーム５０は、上述の枠部材４１とほぼ同じ大きさの略正三角形状に形成された枠体である。下縁フレーム５０は、例えば、ポリプロピレン等のプラスチックから形成されている。下縁フレーム５０は、のぼり３１の下端に取り付けられる。下縁フレーム５０は、のぼり部３０が支持部２０に支持されたときに、のぼり３１を緊張させるおもりとして機能する。後述するように、３つののぼり３１の高さ方向の長さは、それぞれ等しく形成されている。これにより、のぼり３１の下端部は、略同一の水平面上に位置する。
【００３０】
下縁フレーム５０は、下縁フレーム５０の角部分を構成する角部材５１ａと、下縁フレーム５０の辺部分を構成する辺部材５１ｃとを有する。辺部材５１ｃは、円筒状に形成されており、のぼり３１の幅と略同一又はのぼり３１の幅よりわずかに長く形成されている。角部材５１ａは、円筒状の辺部材５１ｃに挿入されて、辺部材５１ｃの内壁に圧接する円柱状の挿入部５１ｂを有している。辺部材５１ｃは、角部材５１ａに着脱可能に構成されている。
【００３１】
図４に示すように、のぼり３１は、略矩形状に形成されている。尚、３つののぼり３１は、それぞれ等しい大きさに形成されている。のぼり３１は、例えば、ポリエステル製の布地から形成され、商品、あるいは店舗等の宣伝のための所望のテキストや、模様等が色彩を伴って印刷されている。のぼり３１の上下の端部には、上縁フレーム４０の枠部材４１及び下縁フレーム５０の各辺を挿通させるための、筒状の上側被支持部３１ａ及び下側被支持部３１ｂが形成されている。上側被支持部３１ａには、挿通させた枠部材４１に取付具４８を嵌め込むために、枠部材４１を露出させるための孔３１ｃが形成されている。
【００３２】
次に、宣伝装置１０の組立手順について説明する。
【００３３】
まず、上縁フレーム４０にのぼり３１を取り付けるため、正三角形状の枠部材４１を、角部材４１ａと辺部材４１ｃとに分解する。そして、辺部材４１ｃを各のぼり３１の上側被支持部３１ａに挿入する。その後、辺部材４１ｂの両端に角部材４１ａを取り付けて、再び枠部材４１を正三角形状に形成する。同様にして、下縁フレーム５０にものぼり３１を取り付ける。
【００３４】
次に、枠部材４１の、のぼり３１の上側被支持部３１ａに形成された孔３１ｃから露出した部分に、梁部材４５の取付具４８をそれぞれ取り付ける。
【００３５】
最後に、図１のように、支持部２０の支柱２２の上端に、上縁フレーム４０の軸部４６を取り付けることにより、宣伝装置１０が組み立てられる。尚、上述の組立手順は一例であり、この手順に限られない。
【００３６】
図１に示すように、のぼり３１は、枠部材４１及び取付具４８を介して、軸部４６から水平方向に放射状に延設された支持梁４７に吊持される。このとき、下縁フレーム５０は、のぼり３１を緊張させるおもりとして機能することで、のぼり３１を撓ませることなく張設することができる。これにより、のぼり部３０は三角筒状となる。
【００３７】
以上のように、本考案の実施形態に係る宣伝装置は、三角筒状ののぼり部３０を有しているので、３６０度すべての方向から宣伝内容を確認することができる。そのため、人々の目にとまる機会を増やすことができ、宣伝効果を高めることができる。
【００３８】
また、のぼり３１は、上側被支持部３１ａ及び下側被支持部３１ｂに、上縁フレーム４０の枠部材４１及び下縁フレーム５０が取り付けられているだけであるので、簡単に、のぼり３１を差し替えて、宣伝内容を変えることができる。
【００３９】
また、のぼり３１は、それぞれ単独であるので、宣伝内容をそれぞれ異ならせることができる。また、３つののぼりのうちの１つ又は２つだけを差し替えることができる。
【００４０】
（第２の実施形態）
次に、この考案の第２の実施形態について、図面を用いて説明する。
【００４１】
宣伝装置１０の基本的な構成は、第１の実施形態と同様である。この実施形態では、宣伝装置１０に、照明器具が配設されている点、及びのぼり部が回転する点が第１の実施形態とは異なる。尚、第１の実施形態の宣伝装置１０と共通する構成については、同一又は対応する符号を付す。
【００４２】
図５（ａ）に示すように、支持部２０は、支持部２０が地面に載置された際に接地するベースプレート２１と、ベースプレート２１に立設された支柱２２と、支柱２２に螺旋状に巻き付けられた照明器具２４と、照明器具２４に電気を供給する電源コード２５と、支柱２２の先端に取り付けられたモータ２６と、から構成されている。
【００４３】
照明器具２４は、例えば、ポリ塩化ビニル等から成るチューブ内に発光ダイオードを内蔵したＬＥＤチューブライトであり、支柱２２に沿って配設された電源コード２５から電気を供給されて発光し、支持部２０に吊持されたのぼり部３０ａに、内側から光を照射する。
【００４４】
モータ２６は、例えば電池駆動式で、支柱２２の先端に取り付けられている。モータ２６は、図示しない電池から電気の供給を受け、回転軸２７をおおよそ３０秒で１回転させる。
【００４５】
図５（ｂ）に示すように、のぼり部３０ａは、宣伝広告が印刷された３つののぼり３１と、のぼり３１の上端に取り付けられる上縁フレーム６０と、のぼり３１の下端に取り付けられる下縁フレーム５０と、から構成されている。
【００４６】
上縁フレーム６０は、枠部材６１と、梁部材６５と、を備えている。枠部材６１は、第１の実施形態と同様に、平面視で、略正三角形状に形成された枠体である。梁部材６５は、円板状の回転板６６と、第１の実施形態と同様に形成された３本の支持梁６７と、第１の実施形態と同様に形成された３つの取付具６８と、を備える。
【００４７】
回転板６６は、例えば、鋼板から切り出された円板である。回転板６６の中心には、モータ２６の回転軸２７を接続することができる孔が形成されている。回転板６６は、モータ２６の回転軸２７の回転と同期して、円板中央を中心に回転する。
【００４８】
３本の支持梁６７は、回転板６６から放射状に延設されている。取付具６８は、３本の支持梁６７の先端のそれぞれに取り付けられている。
【００４９】
図１を参照して、支持部２０にのぼり部３０ａを取り付けると、第１の実施形態と同様に、のぼり部３０ａは、三角筒状となる。
【００５０】
このように構成された宣伝装置１０に、図示しないモータ駆動用の電池をセットしてモータ２６を駆動させる。すると、のぼり部３０ａは、モータ２６の回転軸と同期して、支柱２２周りをおおよそ３０秒に１回転する。
【００５１】
また、支柱２２に取り付けられた照明器具２４を点灯させて、のぼり３１に内側から光を照射するようにしてもよい。なお、本実施形態では、支柱２２にＬＥＤチューブライトを取り付けた一例について説明したが、のぼり３１に光を照射できるものであればよく、例えば蛍光灯や電球等を取り付けてもよい。
【００５２】
以上のように、本考案の実施形態に係る宣伝装置は、のぼり３１を回転させることで、人々の視線を引き付け、より高い宣伝効果を発揮させることが可能となる。これは、人は動いているものを無意識に注視するという性質を利用したものである。
【００５３】
また、のぼり３１にその内部から光を照射させることで、のぼり３１は明るく照らされ、人々の注目を集めることができる。また、宣伝装置１０が暗い場所に設置された場合にも、のぼり３１に印刷された宣伝内容をはっきりと表示させることができる。
【００５４】
また、のぼり３１を回転させることで、一方向からのぼり３１を見続けた場合にも、所定の時間をかけることにより、複数ののぼり３１に印刷された宣伝内容を全て確認することができる。これにより、従来の宣伝装置と比べ、設置スペースを広く占有することなく、効率のよい宣伝が可能となる。
【００５５】
本考案は上述した実施形態に限られず、様々な変形及び応用が可能である。
【００５６】
例えば、図６に示すように、のぼり部７０を四角筒状に形成してもよい。
【００５７】
図６に示すように、上縁フレーム８０は、枠部材８１と、梁部材８５と、を備えている。枠部材８１は、平面視で、略正方形に形成された枠体である。枠部材８１は、第１の実施形態と同様に、枠部材８１の角部分を構成する角部材８１ａと、枠部材８１の辺部分を構成する辺部材８１ｃとを有する。辺部材８１ｃは、円筒状に形成されており、のぼり３１の幅と略同一又はのぼり３１の幅よりわずかに長く形成されている。角部材８１ａは、円筒状の辺部材８１ｃに挿入されて、辺部材８１ｃの内壁に圧接する円柱状の挿入部８１ｂを有している。辺部材８１ｃは、角部材８１ａに着脱可能に構成されている。
【００５８】
また、梁部材８５は、支持梁８７が４本である点、及び取付具８８が４つ形成されている点以外は、第１の実施形態と同様に形成されている。
【００５９】
また、下縁フレーム９０は、上述の枠部材８１とほぼ同じ大きさの略正方形状に形成された枠体である。また、下縁フレーム９０は、上述の枠部材８１と同様の構造を有している。
【００６０】
以上のように構成されているので、支持部２０にのぼり部７０を取り付けると、のぼり３１は、枠部材８１及び取付具８８を介して、支持梁８７に吊持される。このとき、下縁フレーム９０は、のぼり３１を緊張させるおもりとして機能することで、のぼり３１を撓ませることなく張設することができる。これにより、のぼり部７０は四角筒状となる。
【００６１】
以上のように、のぼり部７０は四角筒状であるので、３６０度すべての方向から宣伝内容を確認することができる。また、上記実施形態よりも、多くののぼり３１を取り付けることができるので、より宣伝効果を高めることができる。
【００６２】
尚、のぼり部の形状は、三角筒状又は四角筒状に限定されるものではない。五角形筒状や六角形筒状などの多角形筒状であってもよい。
【００６３】
また、上記の実施形態では、上縁フレームは、支持梁の先端に取り付けられた取付具によって、各辺の略中央で支持されていたが、これに限定されるものではない。図７（ａ）に示す平面視正三角形状の上縁フレーム１００、及び図７（ｂ）に示す平面視正方形状の上縁フレーム１０１のように、上縁フレームの角部を、支持梁によって支持してもよい。
【００６４】
また、上記の実施形態では、のぼりの上下の端部に、上縁フレーム及び下縁フレームの各辺を挿通させるための筒状の上側被支持部及び下側被支持部を形成したが、これに限定されるものではない。図８（ａ）に示すように、シートの上端近傍及び下端近傍に、互いに着脱可能な一対の固定部材、例えばスナップボタン１１１と、スナップボタン１１２とを形成し、ボタン１１１とボタン１１２を互いに嵌着することによって筒状部を形成してもよい。また、図８（ｂ）に示すように、シートの上端近傍及び下端近傍に、面ファスナ１２１と面ファスナ１２２とを形成し、面ファスナ１２１と面ファスナ１２２とを互いに貼着することによって筒状部を形成してもよい。
【００６５】
このような構成であれば、一対の固定部材の間に上縁フレーム及び下縁フレームの辺部を位置させた状態で、一対の固定部材を固定することにより、シートを上縁フレーム及び下縁フレームに取り付けることができる。また、このような構成であれば、上縁フレーム及び下縁フレームを分解することなく、のぼりだけを差し替えることができる。
【００６６】
また、のぼりを枠部材に固定するための、のぼり固定部材が配設されていてもよい。例えば、図９に示すように、のぼり固定部材１３０は、円筒の側面の一部を長手方向に切り欠いて形成された形状を有する部材であってもよい。のぼり固定部材１３０は、のぼり３１と共に枠部材４１を挟むことによって、のぼり３１を枠部材４１に移動不能に固定する。これにより、のぼり３１が撓むことがない。尚、のぼり固定部材は、のぼり３１と共に枠部材４１を挟むことができるものであれば、公知のクリップなどであってもよい。
【００６７】
また、上記の実施形態の上縁フレームの枠部材及び下縁フレームは、角部材と辺部材とが着脱可能に構成されていたが、これに限定されるものではない。上縁フレームの枠部材及び下縁フレームは、一体的に形成されていてもよい。この場合には、のぼりの上端部及び下端部と共に上縁フレームの枠部材及び下縁フレームを、公知のクリップで挟むことによって、のぼりを固定してもよい。また、のぼりの上端部及び下端部にＳ字型フックを取り付け、上縁フレームの枠部材及び下縁フレームに掛けることによって、のぼりを固定してもよい。
【００６８】
また、上縁フレームの枠部材及び下縁フレームは、角部材と辺部材の少なくとも一部が一体的に形成されていてもよい。
【００６９】
また、上記の実施形態では、のぼりは、ポリエステル製の布地から形成されていたが、例えば、ポリ塩化ビニル製のシートや、厚紙等から形成されていてもよい。また、のぼりは、透光性がある材質で形成されていてもよい。
【００７０】
また、本実施形態に係る宣伝装置の大きさは、宣伝装置の構造上特に制限されるものではない。そのため、制作上、運搬上等の制約を受けない限り自由にその寸法を設定できる。
【００７１】
また、上述した宣伝装置の支柱は、ベースプレートから立設させた構造としたが、例えば、予め形成された地面の凹部に支柱を差し込んで立設するようにしてもよい。
【００７２】
また、上記の実施形態では、モータの回転軸は３０秒間で１回転として説明したが、これは一例であり、回転軸の回転スピードは適宜設定可能である。
【符号の説明】
【００７３】
１０  宣伝装置
２０  支持部
２１  ベースプレート
２２  支柱
２３  角パイプ
２４  照明器具
２５  電源コード
２６  モータ
２７  回転軸
３０、３０ａ  のぼり部
３１  のぼり
３１ａ  上側被支持部
３１ｂ  下側被支持部
３１ｃ  孔部
４０  上縁フレーム
４１  枠部材
４１ａ  角部材
４１ｂ  挿入部
４１ｃ  辺部材
４５  梁部材
４６  軸部
４７  支持梁
４８  取付具
５０  下縁フレーム
６０  上縁フレーム
６１  枠部材
６５  梁部材
６６  回転板
６７  支持梁
６８  取付具
７０  のぼり部
８０  上縁フレーム
８１  枠部材
８５  梁部材
８６  軸部
８７  支持梁
８８  取付具
９０  下縁フレーム
１００  上縁フレーム
１０１  上縁フレーム
１１１  スナップボタン
１１２  スナップボタン
１２１  面ファスナ
１２２  面ファスナ
【図１】
0003178633.tif 000003
【図２】
0003178633.tif 000004
【図３】
0003178633.tif 000005
【図４】
0003178633.tif 000006
【図５】
0003178633.tif 000007
【図６】
0003178633.tif 000008
【図７】
0003178633.tif 000009
【図８】
0003178633.tif 000010
【図９】
0003178633.tif 000011